(57)【特許請求の範囲】
【請求項１】
表面に付着した水分を検知する受雪板と、外気温度を検出する外気温度検出手段と、受雪板の温度を検出する受雪板温度検出手段と、受雪板を加熱する加熱手段とを備え、受雪板の水分検知及び外気温度検出手段の検出温度に基づいて降雪を検知するとともに、受雪板温度検出手段の検出温度に基づいて前記加熱手段を制御するようにした降雪検知装置において、
前記外気温度検出手段及び受雪板温度検出手段をそれぞれ温度を電気信号として検出する温度検出素子によって形成し、
各温度検出素子の一端側及び他端側をそれぞれ共通の配線によって装置本体側に接続するとともに、
各温度検出素子の一端側にはそれぞれ通電方向を一方向のみに規制する整流手段を各温度検出素子の通電規制方向が互いに反対方向になるように設け、
各温度検出素子に印加される電圧の極性を交互に切換える切換手段を備えた
ことを特徴とする降雪検知装置。
【請求項２】
前記受雪板の裏面に、受雪板温度検出手段としての温度検出素子と、外気温度検出手段としての温度検出素子と、整流手段としての整流素子とを互いに接続可能な導電パターンを設けた
ことを特徴とする請求項１記載の降雪検知装置。
【発明の詳細な説明】
【０００１】
【発明の属する技術分野】
本発明は、降雪地帯の道路等に用いられる融雪装置の降雪検知装置に関するものである。
【０００２】
【従来の技術】
従来、この種の降雪検知装置としては、例えば特開平７−１５１８６５号公報に記載されているように、表面に一対の電極を有する受雪板と、受雪板に付着した水分を各電極によって検知する水分検知部と、外気温度を検出する外気温度センサと、受雪板の温度を検出する受雪板温度センサと、受雪板を加熱するヒータとを備えたものが知られている。この降雪検知装置では、外気温度センサの検出温度が降雪可能な温度以下になり、受雪板に雪が降下して各電極が雪の水分によって互いに導通したことが検知されると、所定の融雪装置を作動させるようになっている。また、受雪板に降下した雪を電極導通用の水分として融かすため、受雪板をヒータで加熱するとともに、受雪板の温度を受雪板温度センサによって検出することにより、受雪板がほぼ一定の温度になるように制御している。
【０００３】
【発明が解決しようとする課題】
ところで、前記外気温度センサ及び受雪板温度センサは、サーミスタ等のように温度を電気信号として検出する温度検出素子からなり、それぞれ複数の配線によって装置本体側に接続されている。しかしながら、これら外気温度センサ及び受雪板温度センサごとに配線した場合、配線の本数が多くなり、コストの増加や接続不良など、配線の複雑化に伴う不具合を生ずるという問題点があった。
【０００４】
本発明は前記問題点に鑑みてなされたものであり、その目的とするところは、温度検出手段への配線を簡素化することのできる降雪検知装置を提供することにある。
【０００５】
【課題を解決するための手段】
本発明は前記目的を達成するために、請求項１では、表面に付着した水分を検知する受雪板と、外気温度を検出する外気温度検出手段と、受雪板の温度を検出する受雪板温度検出手段と、受雪板を加熱する加熱手段とを備え、受雪板の水分検知及び外気温度検出手段の検出温度に基づいて降雪を検知するとともに、受雪板温度検出手段の検出温度に基づいて前記加熱手段を制御するようにした降雪検知装置において、前記外気温度検出手段及び受雪板温度検出手段をそれぞれ温度を電気信号として検出する温度検出素子によって形成し、各温度検出素子の一端側及び他端側をそれぞれ共通の配線によって装置本体側に接続するとともに、各温度検出素子の一端側にはそれぞれ通電方向を一方向のみに規制する整流手段を各温度検出素子の通電規制方向が互いに反対方向になるように設け、各温度検出素子に印加される電圧の極性を交互に切換える切換手段を備えている。これにより、各温度センサに印加される電圧の極性を交互に切換えることにより、各温度センサの検出信号が交互に検出されることから、各温度センサごとに複数ずつの配線を設ける必要がない。
【０００６】
また、請求項２では、請求項１記載の降雪検知装置において、前記受雪板の裏面に、受雪板温度検出手段としての温度検出素子と、外気温度検出手段としての温度検出素子と、整流手段としての整流素子とを互いに接続可能な導電パターンを設けている。これにより、請求項１の効果に加え、受雪板の導電パターンに各温度検出素子及び整流素子が接続されることから、これらを接続するための基板等を別途必要とすることがない。
【０００７】
【発明の実施の形態】
図１乃至図４は本発明の一実施形態を示すもので、図１は降雪検知装置の概略構成図、図２はその要部分解斜視図、図３は受雪板の裏面を示す斜視図、図４は降雪検知装置の要部回路構成図である。
【０００８】
この降雪検知装置は、表面に付着した水分を検知する受雪板１と、受雪板１を加熱するヒータ２と、受雪板１の温度を検出する受雪板温度センサ３と、受雪板温度センサ３の通電方向を規制する第１の整流素子４と、外気温度を検出する外気温度センサ５と、外気温度センサ５の通電方向を規制する第２の整流素子６と、受雪板１に水分が付着したことを検知する水分検知回路７と、受雪板温度センサ３及び外気温度センサ５の温度をそれぞれ検出する温度検出回路８と、受雪板温度センサ３の検出温度に基づいてヒータ２を制御するヒータ制御回路９と、水分検知回路７の検知結果及び温度検出回路８の検出温度に基づいて降雪を検知する判別回路１０とから構成されている。
【０００９】
受雪板１は表面に一対の電極１ａ，１ｂを有し、各電極１ａ，１ｂは互いに近接するように櫛形に形成されている。受雪板１の裏面には、図３に示すように各電極１ａ，１ｂへの接続部１ｃ、温度検出回路８との接続部１ｄ及び外気温度センサ５との接続部１ｅを有する導電パターン１ｆが設けられるとともに、受雪板温度センサ３及び各整流素子４，６が導電パターン１ｆに接触するように取付けられている。また、受雪板１は箱形のケース１ｇを備え、各電極１ａ，１ｂの面を外側にしてケース１ｇの上面開口部を覆うように組付けられている。
【００１０】
ヒータ２は複数の発熱素子からなり、受雪板１の裏面及びケース１ｇの内側側面に面接触する伝熱板２ａに取付けられている。
【００１１】
受雪板温度センサ３はサーミスタ等のように温度を電気信号として検出する温度検出素子からなり、図４に示すように一端側を温度検出回路８に接続され、他端側を第１の整流素子４の一端側に接続されている。
【００１２】
第１の整流素子４はダイオードからなり、その他端側を温度検出回路８に接続され、受雪板温度センサ３の通電方向を一端側から他端側のみに規制するようになっている。
【００１３】
外気温度センサ５はサーミスタ等のように温度を電気信号として検出する温度検出素子からなり、図４に示すように一端側を温度検出回路８に接続され、他端側を第２の整流素子６の一端側に接続されている。この場合、外気温度センサ５の一端側は受雪板温度センサ３と共通の配線によって温度検出回路８に接続されている。
【００１４】
第２の整流素子６はダイオードからなり、その他端側を温度検出回路８に接続され、外気温度センサ５の通電方向を他端側から一端側のみに規制するようになっている。この場合、第２の整流素子６の他端側は第１の整流素子４と共通の配線によって温度検出回路８に接続されている。
【００１５】
水分検知回路７は受雪板１の各電極１ａ，１ｂに接続され、各電極１ａ，１ｂが受雪板１に付着した水分によって短絡したことを検知するようになっている。
温度検出回路８は受雪板温度センサ３及び外気温度センサ５に接続され、各温度センサ３，５の検出信号によって受雪板温度センサ３及び外気温度センサ５の温度を検出するようになっている。この場合、温度検出回路８は受雪板温度センサ３及び外気温度センサ５の一端側及び各整流素子４，６の他端側に切換手段としてのスイッチング回路８ａを介して接続され、スイッチング回路８ａによって各温度センサ３，５に印加される電圧の極性を交互に切換えることにより、各整流素子４，６の通電規制により受雪板温度センサ３及び外気温度センサ５の検出信号が交互に検出されるようになっている。
【００１６】
ヒータ制御回路９はヒータ２及び温度検出回路８に接続され、温度検出回路８によって検出された受雪板温度センサ３の検出温度が所定温度以下になるとヒータ２を駆動するようになっている。
【００１７】
判別回路１０は水分検知回路７及び温度検出回路８に接続され、水分検知回路７によって受雪板１に付着した水分が検知され、且つ温度検出回路８によって検出された外気温度センサ５の検出温度が所定温度以下になった場合、図示しない融雪装置に降雪の検知信号を出力するようになっている。
【００１８】
以上のように構成された降雪検知装置においては、外気温度センサ５の検出温度が予め設定された降雪可能温度以下になり、受雪板１に水分が付着すると降雪が検知される。この場合、受雪板１に降下した雪が融けないと水分を検出することができないので、受雪板温度センサ３の検出温度が所定温度以下になった場合、ヒータ２が作動して受雪板１の温度低下が防止される。
【００１９】
また、前記降雪検知装置では、受雪板温度センサ３及び外気温度センサ５が温度検出回路８を含む装置本体部１１側に対して遠隔的に配置され、各温度センサ３，５は一端側及び他端側をそれぞれ共通の計２本の配線によって接続される。即ち、各温度センサ３，５の一端側にはそれぞれ通電方向を一方向のみに規制する整流素子４，６が各温度センサ３，５の通電規制方向が互いに反対方向になるように設けられ、各温度センサ３，５に印加される電圧の極性を交互に切換えることにより、各温度センサ３，５の検出信号が交互に検出されることから、各温度センサ３，５ごとに計２本ずつの配線を設ける必要がない。
【００２０】
このように、本実施形態の降雪検知装置によれば、受雪板温度センサ３及び外気温度センサ５の一端側及び他端側をそれぞれ共通の配線によって装置本体部１１側に接続するとともに、各温度センサ３，５の一端側にそれぞれ整流素子４，６を設け、各温度センサ３，５に印加される電圧の極性を交互に切換えることにより、各温度センサ３，５の検出信号を交互に検出するようにしたので、各温度センサ３，５ごとに計２本ずつの配線を設ける必要がなく、各温度センサ３，５の配線を簡素化することができる。また、受雪板１の裏面に設けた導電パターン１ｆに、各温度センサ３，５及び各整流素子４，６を接続するようにしたので、これらを接続するための基板等を別途必要とすることがなく、部品組付作業の効率化を図ることができる。
【００２１】
【発明の効果】
以上説明したように、請求項１の降雪検知装置によれば、各温度検出素子ごとに複数ずつの配線を接続する必要がないので、各温度検出手段への配線を簡素化することができ、コストの増加や接続不良など、配線の複雑化に伴う不具合を解消することができる。
【００２２】
また、請求項２の降雪検知装置によれば、請求項１の効果に加え、各温度検出素子及び整流素子を接続するための基板等を別途必要とすることがないので、部品組付作業の効率化を図ることができる。
【図面の簡単な説明】
【図１】本発明の一実施形態を示す降雪検知装置の概略構成図
【図２】降雪検知装置の要部分解斜視図
【図３】受雪板の裏面を示す斜視図
【図４】降雪検知装置の要部回路構成図
【符号の説明】
１…受雪板、２…ヒータ、３…受雪板温度センサ、４…第１の整流素子、５…外気温度センサ、６…第２の整流素子、８ａ…スイッチング回路、１１…装置本体部。
【図１】
0003634568.tif 000002
【図２】
0003634568.tif 000003
【図３】
0003634568.tif 000004
【図４】
0003634568.tif 000005